(57)【特許請求の範囲】
【請求項１】
固定接触子と、
前記固定接触子側の第１端部を有する可動接触子と、
前記固定接触子及び前記第１端部の少なくとも１つに消弧ガスを吹き付けるガス吹付部とを備え、
前記ガス吹付部は、前記可動接触子が前記固定接触子から離れる前から前記可動接触子が前記固定接触子から離れた後までの間、前記固定接触子及び前記第１端部の前記少なくとも１つに前記消弧ガスを吹き付け続けるように構成されており、
前記ガス吹付部は、第１の圧力を有する前記消弧ガスが封入される第１のガス室と、前記第１の圧力よりも高い第２の圧力を有する前記消弧ガスが封入される第２のガス室と、弁とを含み、前記第１のガス室は第１のサブガス室と第２のサブガス室とを含み、前記第１のサブガス室は、前記第２のガス室と前記第２のサブガス室との間にあり、
前記弁は、前記弁が前記第２のガス室を前記第１のサブガス室から流体的に遮断する閉状態と、前記弁が前記第２のガス室を前記第１のサブガス室に流体的に連通させる開状態との間で切換可能に構成されており、
前記開状態は、前記弁が前記第２のガス室を前記第１のサブガス室に流体的に連通させ、かつ、前記第１のサブガス室を前記第２のサブガス室に流体的に連通させる第１の開状態と、前記弁が前記第２のガス室を前記第１のサブガス室に流体的に連通させ、かつ、前記第１のサブガス室を前記第２のサブガス室から流体的に遮断する第２の開状態とを含み、前記弁は、前記第１の開状態と前記第２の開状態との間で切換可能に構成されており、
前記固定接触子及び前記第１端部の前記少なくとも１つは、前記弁の前記第１の開状態において形成される前記消弧ガスの流路内に配置されており、
前記弁は、前記可動接触子が前記固定接触子から離れる前に、前記閉状態から前記第１の開状態に切り換わるように構成されており、
前記弁は、前記可動接触子が前記固定接触子から離れた後に、前記第１の開状態から前記第２の開状態に切り換わるように構成されている、ガス遮断器。
【請求項２】
前記可動接触子をガイドするガイド部材をさらに備え、
前記ガイド部材は、前記流路の少なくとも一部を規定する、請求項１に記載のガス遮断器。
【請求項３】
前記ガス吹付部は、前記第１のガス室と前記第２のガス室とを仕切る仕切板を含み、
前記仕切板は、前記第１のガス室と前記第２のガス室との間を流体的に接続する貫通孔と、端子板とを有し、
前記弁は、前記弁の前記閉状態において前記貫通孔を閉塞し、前記弁の前記開状態において前記貫通孔を開放し、
前記可動接触子は、前記ガイド部材を介して、前記端子板に電気的に接続されている、請求項２に記載のガス遮断器。
【請求項４】
固定接触子と、
前記固定接触子側の第１端部を有する可動接触子と、
前記固定接触子及び前記第１端部の少なくとも１つに消弧ガスを吹き付けるガス吹付部と、
前記可動接触子をガイドするガイド部材とを備え、
前記ガス吹付部は、前記可動接触子が前記固定接触子から離れる前から前記可動接触子が前記固定接触子から離れた後までの間、前記固定接触子及び前記第１端部の前記少なくとも１つに前記消弧ガスを吹き付け続けるように構成されており、
前記ガス吹付部は、第１の圧力を有する前記消弧ガスが封入される第１のガス室と、前記第１の圧力よりも高い第２の圧力を有する前記消弧ガスが封入される第２のガス室と、弁とを含み、
前記弁は、前記弁が前記第２のガス室を前記第１のガス室から流体的に遮断する閉状態と、前記弁が前記第２のガス室を前記第１のガス室に流体的に連通させる開状態との間で切換可能に構成されており、
前記固定接触子及び前記第１端部の前記少なくとも１つは、前記弁の前記開状態において形成される前記消弧ガスの流路内に配置されており、
前記弁は、前記可動接触子が前記固定接触子から離れる前に、前記閉状態から前記開状態に切り換わるように構成されており、
前記ガイド部材は、前記流路の少なくとも一部を規定し、
前記ガス吹付部は、前記第１のガス室と前記第２のガス室とを仕切る仕切板を含み、
前記仕切板は、前記第１のガス室と前記第２のガス室との間を流体的に接続する貫通孔と、端子板とを有し、
前記弁は、前記弁の前記閉状態において前記貫通孔を閉塞し、前記弁の前記開状態において前記貫通孔を開放し、
前記可動接触子は、前記ガイド部材を介して、前記端子板に電気的に接続されている、ガス遮断器。
【請求項５】
前記可動接触子と前記弁とを接続する弾性体と、
前記弾性体の長さを前記弾性体の自然長以下に制限する制限部材とをさらに備え、
前記弁の前記閉状態において、前記弾性体は圧縮されている、請求項４に記載のガス遮断器。
【請求項６】
前記可動接触子と前記弁とを接続する弾性体をさらに備え、
前記弁の前記閉状態において、前記弾性体は圧縮されている、請求項１から請求項４のいずれか１項に記載のガス遮断器。
【請求項７】
固定接触子と、
前記固定接触子側の第１端部を有する可動接触子と、
前記固定接触子及び前記第１端部の少なくとも１つに消弧ガスを吹き付けるガス吹付部と、
弾性体とを備え、
前記ガス吹付部は、前記可動接触子が前記固定接触子から離れる前から前記可動接触子が前記固定接触子から離れた後までの間、前記固定接触子及び前記第１端部の前記少なくとも１つに前記消弧ガスを吹き付け続けるように構成されており、
前記ガス吹付部は、第１の圧力を有する前記消弧ガスが封入される第１のガス室と、前記第１の圧力よりも高い第２の圧力を有する前記消弧ガスが封入される第２のガス室と、弁とを含み、
前記弁は、前記弁が前記第２のガス室を前記第１のガス室から流体的に遮断する閉状態と、前記弁が前記第２のガス室を前記第１のガス室に流体的に連通させる開状態との間で切換可能に構成されており、
前記固定接触子及び前記第１端部の前記少なくとも１つは、前記弁の前記開状態において形成される前記消弧ガスの流路内に配置されており、
前記弁は、前記可動接触子が前記固定接触子から離れる前に、前記閉状態から前記開状態に切り換わるように構成されており、
前記弾性体は、前記可動接触子と前記弁とを接続しており、
前記弁の前記閉状態において、前記弾性体は圧縮されている、ガス遮断器。
【請求項８】
前記弾性体の長さを前記弾性体の自然長以下に制限する制限部材をさらに備える、請求項７に記載のガス遮断器。
【請求項９】
前記弁は、前記可動接触子側に開口するカップの形状を有し、
前記弾性体は、前記弁の内部に収容されており、
前記弁の前記閉状態において、前記弁の前記内部は前記第２のガス室に流体的に連通し、かつ、前記第１のガス室から流体的に遮断されている、請求項６または請求項７に記載のガス遮断器。
【請求項１０】
駆動部と、
前記駆動部によって駆動される可動部材とを備え、
前記弁は、前記可動部材に取り付けられており、
前記可動接触子は、前記弾性体を介して、前記可動部材に接続されている、請求項５から請求項９のいずれか１項に記載のガス遮断器。
【請求項１１】
固定接触子と、
前記固定接触子側の第１端部を有する可動接触子と、
前記固定接触子及び前記第１端部の少なくとも１つに消弧ガスを吹き付けるガス吹付部とを備え、
前記ガス吹付部は、前記可動接触子が前記固定接触子から離れる前から前記可動接触子が前記固定接触子から離れた後までの間、前記固定接触子及び前記第１端部の前記少なくとも１つに前記消弧ガスを吹き付け続けるように構成されており、
前記ガス吹付部は、第１の圧力を有する前記消弧ガスが封入される第１のガス室と、前記第１の圧力よりも高い第２の圧力を有する前記消弧ガスが封入される第２のガス室と、弁とを含み、
前記弁は、前記弁が前記第２のガス室を前記第１のガス室から流体的に遮断する閉状態と、前記弁が前記第２のガス室を前記第１のガス室に流体的に連通させる開状態との間で切換可能に構成されており、
前記固定接触子及び前記第１端部の前記少なくとも１つは、前記弁の前記開状態において形成される前記消弧ガスの流路内に配置されており、
前記弁は、前記可動接触子が前記固定接触子から離れる前に、前記閉状態から前記開状態に切り換わるように構成されており、
前記可動接触子は、導電棒部材を含み、
前記弁の前記閉状態において、前記固定接触子は、前記第１端部から離れた前記導電棒部材の側面に接触している、ガス遮断器。
【請求項１２】
固定接触子と、
前記固定接触子側の第１端部を有する可動接触子と、
前記固定接触子及び前記第１端部の少なくとも１つに消弧ガスを吹き付けるガス吹付部と、
前記可動接触子をガイドするガイド部材とを備え、
前記ガス吹付部は、前記可動接触子が前記固定接触子から離れる前から前記可動接触子が前記固定接触子から離れた後までの間、前記固定接触子及び前記第１端部の前記少なくとも１つに前記消弧ガスを吹き付け続けるように構成されており、
前記ガス吹付部は、第１の圧力を有する前記消弧ガスが封入される第１のガス室と、前記第１の圧力よりも高い第２の圧力を有する前記消弧ガスが封入される第２のガス室と、弁とを含み、
前記弁は、前記弁が前記第２のガス室を前記第１のガス室から流体的に遮断する閉状態と、前記弁が前記第２のガス室を前記第１のガス室に流体的に連通させる開状態との間で切換可能に構成されており、
前記固定接触子及び前記第１端部の前記少なくとも１つは、前記弁の前記開状態において形成される前記消弧ガスの流路内に配置されており、
前記弁は、前記可動接触子が前記固定接触子から離れる前に、前記閉状態から前記開状態に切り換わるように構成されており、
前記ガイド部材は、前記流路の少なくとも一部を規定し、
前記可動接触子は、前記ガイド部材を摺動する導電摺動部材と、前記導電摺動部材に取り付けられた導電棒部材とを含み、
前記弁の前記閉状態において、前記固定接触子は、前記第１端部から離れた前記導電棒部材の側面に接触しており、
前記導電摺動部材は、前記導電摺動部材の前記第１端部側に隣接する前記ガイド部材の第１内周部と前記導電摺動部材の前記弁側に隣接する前記ガイド部材の第２内周部とを流体的に連通させるように構成されている、ガス遮断器。
【請求項１３】
駆動部と、
前記駆動部によって駆動される可動部材とをさらに備え、
前記弁及び前記可動接触子は、前記可動部材に取り付けられている、請求項１１または請求項１２に記載のガス遮断器。
【発明の詳細な説明】
【技術分野】
【０００１】
本発明は、ガス遮断器及び消弧方法に関する。
【背景技術】
【０００２】
固定接触子及び可動接触子に消弧ガスを吹き付けることによって、可動接触子が固定接触子から離れる際に固定接触子と可動接触子との間に発生するアークを消弧するガス遮断器が知られている（特許文献１を参照）。特許文献１に開示されたガス遮断器は、消弧ガスが充填された容器内に、固定接触子と、可動接触子と、高圧室と、低圧室と、高圧室と低圧室との間の吹き出しバルブとを備えている。
【先行技術文献】
【特許文献】
【０００３】
【特許文献１】特開昭４７−４２３３号公報
【発明の概要】
【発明が解決しようとする課題】
【０００４】
特許文献１に開示されたガス遮断器では、可動接触子が固定接触子から離れると同時に吹き出しバルブが開く。アークが発生する瞬間に、可動接触子及び固定接触子の周りには消弧ガスの流れが存在しない。そのため、アークが発生する瞬間に、可動接触子及び固定接触子に消弧ガスが速やかに吹き付けられない。特許文献１に開示されたガス遮断器は、不十分な消弧性能を有している。【０００５】
本発明は、上記の課題を鑑みてなされたものであり、その目的は、高い消弧性能を有するガス遮断器及び消弧方法を提供することである。
【課題を解決するための手段】
【０００６】
本発明のガス遮断器は、固定接触子と、固定接触子側の第１端部を有する可動接触子と、固定接触子及び第１端部の少なくとも１つに消弧ガスを吹き付けるガス吹付部とを備える。ガス吹付部は、可動接触子が固定接触子から離れる前から可動接触子が固定接触子から離れた後までの間、固定接触子及び第１端部の少なくとも１つに消弧ガスを吹き付け続けるように構成されている。【０００７】
本発明の消弧方法は、固定接触子に接触している可動接触子を、固定接触子から離すことを備える。本発明の消弧方法は、可動接触子が固定接触子から離れる前から可動接触子が固定接触子から離れた後までの間、固定接触子及び固定接触子側の可動接触子の第１端部の少なくとも１つに、消弧ガスを吹き付け続けることを備える。
【発明の効果】
【０００８】
本発明のガス遮断器では、ガス吹付部は、可動接触子が固定接触子から離れる前から可動接触子が固定接触子から離れた後までの間、固定接触子及び第１端部の少なくとも１つに消弧ガスを吹き付け続けるように構成されている。そのため、本発明のガス遮断器では、可動接触子が固定接触子から離れてアークが発生する瞬間に、固定接触子及び可動接触子の第１端部の少なくとも１つに消弧ガスが既に吹き付けられている。本発明のガス遮断器は、高い消弧性能を有する。【０００９】
本発明の消弧方法では、可動接触子が固定接触子から離れる前から可動接触子が固定接触子から離れた後までの間、固定接触子及び第１端部の少なくとも１つに、消弧ガスが吹き付け続けられている。そのため、本発明の消弧方法では、可動接触子が固定接触子から離れてアークが発生する瞬間に、固定接触子及び可動接触子の第１端部の少なくとも１つに消弧ガスが既に吹き付けられている。本発明の消弧方法は、高い消弧性能を有する。
【図面の簡単な説明】
【００１０】
【図１】本発明の実施の形態１に係るガス遮断器の閉路状態を示す概略断面図である。
【図２】本発明の実施の形態１に係るガス遮断器の開路過程を示す概略断面図である。
【図３】本発明の実施の形態１に係るガス遮断器の開路状態を示す概略断面図である。
【図４】本発明の実施の形態２に係るガス遮断器の閉路状態を示す概略断面図である。
【図５】本発明の実施の形態２に係るガス遮断器の開路過程を示す概略断面図である。
【図６】本発明の実施の形態２に係るガス遮断器の開路状態を示す概略断面図である。
【図７】本発明の実施の形態３に係るガス遮断器の閉路状態を示す概略断面図である。
【図８】本発明の実施の形態３に係るガス遮断器の閉路状態における、規制部材の概略断面図である。
【図９】本発明の実施の形態３に係るガス遮断器の開路過程を示す概略断面図である。
【図１０】本発明の実施の形態３に係るガス遮断器の開路過程における、規制部材の概略断面図である。
【図１１】本発明の実施の形態３に係るガス遮断器の開路状態を示す概略断面図である。
【図１２】本発明の実施の形態３に係るガス遮断器の開路状態における、規制部材の概略断面図である。
【図１３】本発明の実施の形態４に係るガス遮断器の閉路状態を示す概略断面図である。
【図１４】本発明の実施の形態４に係るガス遮断器の開路過程を示す概略断面図である。
【図１５】本発明の実施の形態４に係るガス遮断器の開路状態を示す概略断面図である。
【図１６】本発明の実施の形態５に係るガス遮断器の閉路状態を示す概略断面図である。
【図１７】本発明の実施の形態６に係るガス遮断器の閉路状態を示す概略断面図である。
【図１８】本発明の実施の形態６に係るガス遮断器の開路過程を示す概略断面図である。
【図１９】本発明の実施の形態６に係るガス遮断器の開路状態を示す概略断面図である。
【図２０】本発明の実施の形態６に係るガス遮断器の開路状態を示す概略断面図である。
【発明を実施するための形態】
【００１１】
以下、本発明の実施の形態を説明する。なお、同一の構成には同一の参照番号を付し、その説明は繰り返さない。
【００１２】
実施の形態１．
図１から図３を参照して、実施の形態１に係るガス遮断器１を説明する。本実施の形態のガス遮断器１は、第１のガス室２０と、第２のガス室２２と、固定接触子２５と、可動接触子３０と、ガス吹付部（１３，１６，２０，２２，２６，５５）とを主に備える。本実施の形態のガス遮断器１は、第１のガス室２３と、ガイド部材（第１ガイド部材３７）と、弾性部材４０と、駆動部５３と、可動部材（第１可動部材５０）と、ポンプ６３とをさらに備えてもよい。
【００１３】
第１のガス室２０，２３は、第１の圧力を有する消弧ガスが封入されている。第２のガス室２２は、第１の圧力よりも高い第２の圧力を有する消弧ガスが封入されている。消弧ガスは、例えば、六フッ化硫黄（ＳＦ6）ガス、二酸化炭素（ＣＯ2）ガス、ヨウ化トリフルオロメタン（ＣＦ3Ｉ）ガス、４フッ化メタン（ＣＦ4）、窒素（Ｎ2）ガス、アルゴン（Ａｒ）ガスもしくは乾燥空気またはこれらの少なくとも２つを混合したガスであってもよい。第１のガス室２０，２３と第２のガス室２２とは、ガスタンク９の内部空間を仕切ることによって形成されてもよい。具体的には、第１のガス室２０，２３と第２のガス室２２とは、第１仕切板１３と第２仕切板１６とによりガスタンク９の内部空間を仕切ることによって形成されてもよい。第１仕切板１３及び第２仕切板１６は、ガスタンク９に固定されている。
【００１４】
ガスタンク９の外壁（１０，１１）は、第１の外壁１０と第２の外壁１１とを含んでいる。第１の外壁１０は、第１仕切板１３側の第１のガス室２３と、第２仕切板１６側の第１のガス室２０とに接している。第２の外壁１１は、第２のガス室２２に接している。第２の外壁１１は、第１仕切板１３側の第１のガス室２３に接する第１の外壁１０と、第２仕切板１６側の第１のガス室２０に接する第１の外壁１０とを接続してもよい。
【００１５】
第２のガス室２２に接するガスタンク９の第２の外壁１１は、第１のガス室２０，２３に接するガスタンク９の第１の外壁１０よりも厚くてもよい。第２の外壁１１は第１の外壁１０よりも厚いため、ガスタンク９は、第２のガス室２２に封入された消弧ガスの第２の圧力に耐えることができる。第１の外壁１０は、第２の外壁１１と同じ厚さを有してもよい。
【００１６】
第１仕切板１３は、導電性を有する第１端子板１４と、第１絶縁スペーサ１５とを含んでもよい。第１絶縁スペーサ１５は、第１端子板１４の外周に配置されてもよい。第１仕切板１３（第１絶縁スペーサ１５）は、第１の外壁１０に接してもよい。第１仕切板１３（第１絶縁スペーサ１５）は、第２の外壁１１に接してもよい。
【００１７】
第２仕切板１６は、導電性を有する第２端子板１７と、第２絶縁スペーサ１８とを有してもよい。第２絶縁スペーサ１８は、第２端子板１７の外周に配置されてもよい。第２仕切板１６（第２絶縁スペーサ１８）は、第１の外壁１０に接してもよい。第２仕切板１６（第２絶縁スペーサ１８）は、第２の外壁１１に接してもよい。
【００１８】
第２仕切板１６は、第１貫通孔１９を有してもよい。特定的には、第２端子板１７は、第１貫通孔１９を有してもよい。第２仕切板１６は、第２仕切板１６側の第１のガス室２０に接する第２仕切板１６の表面に、Ｏリングのような封止部材５７を含んでもよい。図１に示されるように、弁５５が第２のガス室２２を第１のガス室２０から流体的に遮断する閉状態にあるときに、封止部材５７は、弁５５と第２仕切板１６（第２端子板１７）との間から消弧ガスが漏れることを防ぐ。封止部材５７は、第１のガス室２０に面する第２仕切板１６の表面に設けられた凹部内に配置されてもよい。
【００１９】
固定接触子２５は、ガスタンク９に固定されている。特定的には、固定接触子２５は、第１仕切板１３に固定されている。さらに特定的には、固定接触子２５は、第１仕切板１３の第１端子板１４に固定されている。第１仕切板１３側の第１のガス室２３には、第１導体５が配置されている。ガス遮断器１の外部から供給される電流が第１導体５を流れる。固定接触子２５は、第１導体５に電気的に接続されている。具体的には、固定接触子２５は、第１導電部材７及び第１端子板１４を介して、第１導体５に電気的に接続されている。第１導体５は、第１ブッシング３内を延在している。第１ブッシング３は、第１仕切板１３側の第１のガス室２３に接する第１の外壁１０に接続されている。
【００２０】
可動接触子３０は、固定接触子２５側の第１端部３１と、第１端部３１とは反対側の第２端部３２とを有する。可動接触子３０は、固定接触子２５に対して移動し得る。図１及び図２に示されるように可動接触子３０が固定接触子２５に接触しているとき、可動接触子３０の第１端部３１が固定接触子２５に接触してもよい。可動接触子３０は、第２仕切板１６を介してガスタンク９に固定された第１ガイド部材３７を摺動してもよい。特定的には、可動接触子３０は、第１ガイド部材３７の第２内周部３９を摺動してもよい。
【００２１】
第２仕切板１６側の第１のガス室２０には、第２導体６が配置されている。ガス遮断器１の外部から供給される電流が第２導体６を流れる。可動接触子３０は、第２導体６に電気的に接続されている。具体的には、可動接触子３０は、第２導電部材８、第２端子板１７及び第１ガイド部材３７を介して、第２導体６に電気的に接続されている。第２導体６は、第２ブッシング４内を延在している。第２ブッシング４は、第２仕切板１６側の第１のガス室２０に接する第１の外壁１０に接続されている。
【００２２】
可動接触子３０は、第１内周部３８を有する筒状導電部材であってもよい。可動接触子３０及び固定接触子２５の少なくとも１つは、可動接触子３０が固定接触子２５に接触していても、可動接触子３０の第１内周部３８が可動接触子３０の第１端部３１の外側の第２のガス室２２に流体的に連通するように構成されている。可動接触子３０は、第１端部３１に開口部３１ｐを有してもよい。可動接触子３０は、第２端部３２に第２貫通孔３６を有してもよい。第２貫通孔３６は、可動接触子３０の第１内周部３８と第１ガイド部材３７の第２内周部３９とを流体的に連通させる。
【００２３】
ガス吹付部（１３，１６，２０，２２，２６，５５）は、第１の圧力を有する消弧ガスが封入される第１のガス室２０と、第１の圧力よりも高い第２の圧力を有する消弧ガスが封入される第２のガス室２２と、弁５５とを含む。ガス吹付部（１３，１６，２０，２２，２６，５５）は、第１のガス室２０と第２のガス室２２とを仕切る第２仕切板１６と、ノズル２６とを含んでもよい。
【００２４】
弁５５は、弁５５が第２のガス室２２を第１のガス室２０から流体的に遮断する閉状態（図１）と、弁５５が第２のガス室２２を第１のガス室２０に流体的に連通させる開状態（図２及び図３）との間で移動可能に構成されている。弁５５は、弁５５の閉状態において、第１貫通孔１９を閉塞する。具体的には、弁５５は、弁５５の閉状態において、封止部材５７を介して第２仕切板１６（第２端子板１７）に密着して、第１貫通孔１９を閉塞する。
【００２５】
弁５５は、弁５５の開状態において、第１貫通孔１９を開放する。具体的には、弁５５は、弁５５の開状態において、第２仕切板１６（第２端子板１７）から離れて、第１貫通孔１９を開放する。第２のガス室２２は、第１のガス室２０よりも高い消弧ガスの圧力を有している。弁５５の開状態において、消弧ガスは第２のガス室２２から第１のガス室２０に流れる。固定接触子２５及び可動接触子３０の第１端部３１の少なくとも１つは、弁５５の開状態において形成される消弧ガスの流路内に配置されている。
【００２６】
ガス吹付部（１３，１６，２０，２２，２６，５５）は、固定接触子２５及び可動接触子３０の第１端部３１の少なくとも１つに消弧ガスを吹き付ける。ガス吹付部（１３，１６，２０，２２，２６，５５）は、可動接触子３０が固定接触子２５から離れる前から可動接触子３０が固定接触子２５から離れた後までの間、固定接触子２５及び可動接触子３０の第１端部３１の少なくとも１つに消弧ガスを吹き付け続けるように構成されている。弁５５は、可動接触子３０が固定接触子２５から離れる前に、閉状態から開状態に切り換わるように構成されている。
【００２７】
具体的には、弾性部材４０は、可動接触子３０と弁５５とを接続する。弾性部材４０の可動接触子３０側の端部は、可動接触子３０の第２端部３２に接続されている。弾性部材４０は、例えば、コイルばねのようなばね、または、柱状ゴム部材のようなゴム部材であってもよい。ガス遮断器１の閉路状態（図１）及び開路過程（図２）において、弾性部材４０は圧縮されている。弾性部材４０が圧縮されていることは、弾性部材４０が弾性部材４０の自然長よりも短い長さを有していることを意味する。弾性部材４０の自然長は、弾性部材４０に力が印加されていないときの弾性部材４０の長さとして定義される。ガス遮断器１の閉路状態（図１）及び開路過程（図２）において、弾性部材４０は圧縮されており、弾性部材４０は、可動接触子３０を固定接触子２５に向けて付勢し続ける。ガス遮断器１の閉路状態（図１）及び開路過程（図２）において、可動接触子３０は固定接触子２５に接触し続ける。
【００２８】
可動接触子３０及び固定接触子２５の少なくとも１つは、可動接触子３０が固定接触子２５に接触していても、可動接触子３０の第１内周部３８が可動接触子３０の可動接触子３０の第１端部３１の外側の第２のガス室２２に流体的に連通するように構成されている。第２のガス室２２は、第１のガス室２０よりも高い消弧ガス圧力を有している。可動接触子３０が固定接触子２５から離れる前から、すなわち、可動接触子３０が固定接触子２５に接触している時から、固定接触子２５及び可動接触子３０の第１端部３１の少なくとも１つに消弧ガスが吹き付けられる。
【００２９】
図３に示されるように、駆動部５３が第１可動部材５０をさらに駆動して弁５５がさらに移動すると、弾性部材４０は、弾性部材４０の自然長よりも長くなる。可動接触子３０は、弾性部材４０に引っ張られて、移動を開始する。可動接触子３０は固定接触子２５から離れて、ガス遮断器１は開路状態（図３）になる。第２のガス室２２は、第１のガス室２０よりも高い消弧ガス圧力を有している。可動接触子３０が固定接触子２５から離れた後も、固定接触子２５及び第１端部３１の少なくとも１つに消弧ガスが吹き付けられる。こうして、可動接触子３０が固定接触子２５から離れる前から可動接触子３０が固定接触子２５から離れた後まで、固定接触子２５及び可動接触子３０の第１端部３１の少なくとも１つに消弧ガスが吹き付け続けられる。
【００３０】
ノズル２６は、消弧ガスを、固定接触子２５及び可動接触子３０の第１端部３１の少なくとも１つに向けてガイドする。ノズル２６は、第２のガス室２２から第１のガス室２０に向けて流れる消弧ガスを、固定接触子２５及び可動接触子３０の第１端部３１の少なくとも１つに集中させる。ノズル２６は、電気的絶縁性を有してもよい。
【００３１】
ノズル２６は、基部２７と、基部２７から可動接触子３０側に突出する突出部２８とを含んでもよい。ノズル２６は、固定接触子２５の側面に取り付けられてもよい。特定的には、ノズル２６の基部２７は、固定接触子２５の側面に取り付けられてもよい。突出部２８は、固定接触子２５の可動接触子３０側の端部を囲んでもよい。ガス遮断器１の閉路状態（図１）及び開路過程（図２）において、突出部２８は、可動接触子３０の第１端部３１を囲んでもよい。ガス遮断器１の閉路状態（図１）及び開路過程（図２）において、突出部２８は、固定接触子２５と可動接触子３０との接触部を囲んでもよい。突出部２８は、第１ガイド部材３７の可動接触子３０側の端部を囲んでもよい。
【００３２】
突出部２８は、第１ガイド部材３７から隙間を空けて配置されている。弁５５の開状態（図２及び図３）において、消弧ガスは、突出部２８と第１ガイド部材３７との間の隙間を、固定接触子２５及び可動接触子３０の第１端部３１の少なくとも１つに向けて流れる。
【００３３】
第１ガイド部材３７は、可動接触子３０をガイドする。第１ガイド部材３７は、第２内周部３９を有する筒状導電部材であってもよい。可動接触子３０は、第１ガイド部材３７の第２内周部３９内に配置されてもよい。第１ガイド部材３７は、消弧ガスの流路の少なくとも一部を規定してもよい。第１ガイド部材３７は、第２のガス室２２から第１のガス室２０に向けて流れる消弧ガスを、固定接触子２５及び可動接触子３０の第１端部３１の少なくとも１つに集中させることができる。弁５５の閉状態（図１）において、弾性部材４０は第１ガイド部材３７の第２内周部３９内に配置されてもよい。
【００３４】
駆動部５３は、第１可動部材５０を駆動する。第１可動部材５０は、絶縁性ロッドであってもよい。弁５５は、第１可動部材５０に取り付けられている。弁５５は、第１可動部材５０と一体的に動く。駆動部５３側の弾性部材４０の端部は、第１可動部材５０に接続されている。可動接触子３０は、弾性部材４０を介して、第１可動部材５０に接続されている。弁５５の閉状態（図１）において、第１可動部材５０の一部は、第１貫通孔１９及び第１ガイド部材３７の第２内周部３９内に延在してもよい。
【００３５】
ガス遮断器１が開路状態（図３）から閉路状態（図１）に遷移するガス遮断器１の閉路過程において、ポンプ６３は、第１のガス室２０内に封入されている消弧ガスを第２のガス室２２に送る。ポンプ６３は、第１のガス室２０内の消弧ガスの圧力を減少させるとともに、第２のガス室２２内の消弧ガスの圧力を増加させる。ポンプ６３は、第１配管６４を介して、第１のガス室２０に接続されてもよい。ポンプ６３は、第２配管６５を介して、第２のガス室２２に接続されてもよい。
【００３６】
本実施の形態のガス遮断器１の動作及び本実施の形態の消弧方法を説明する。
ガス遮断器１の閉路状態（図１）において、可動接触子３０は、可動接触子３０が固定接触子２５に接触しており、弁５５は、弁５５が第２のガス室２２を第１のガス室２０から流体的に遮断する閉状態にある。弁５５の閉状態において、弾性部材４０は圧縮されており、可動接触子３０を固定接触子２５に向けて付勢する。固定接触子２５は、可動接触子３０の第１端部３１に接触してもよい。弁５５は、第２仕切板１６（第２端子板１７）に密着している。弁５５は、第２のガス室２２から第１のガス室２０へ消弧ガスが流れることを阻止する。
【００３７】
ガス遮断器１の開路過程（図２）において、駆動部５３は第１可動部材５０を駆動して、弁５５は閉状態から開状態に切り換わる。弁５５は、第２仕切板１６（第２端子板１７）から離れる。ガス遮断器１の開路過程においても、弾性部材４０は圧縮されており、弾性部材４０は可動接触子３０を固定接触子２５に向けて付勢し続ける。ガス遮断器１の開路過程においても、可動接触子３０は固定接触子２５に接触し続ける。
【００３８】
第２のガス室２２は、第１のガス室２０よりも高い消弧ガス圧力を有している。可動接触子３０及び固定接触子２５の少なくとも１つは、可動接触子３０が固定接触子２５に接触していても、可動接触子３０の第１内周部３８が可動接触子３０の第１端部３１の外側の第２のガス室２２に流体的に連通するように構成されている。弁５５が閉状態から開状態に切り換わると、消弧ガスは第２のガス室２２から第１のガス室２０に流れる。固定接触子２５及び可動接触子３０の第１端部３１の少なくとも１つは、弁５５の開状態において形成される消弧ガスの流路内に配置されている。可動接触子３０が固定接触子２５から離れる前から、固定接触子２５及び可動接触子３０の第１端部３１の少なくとも１つに消弧ガスが吹き付けられる。
【００３９】
図３に示されるように、駆動部５３が第１可動部材５０をさらに駆動して弁５５がさらに移動すると、弾性部材４０は、弾性部材４０の自然長よりも長くなる。可動接触子３０は、弾性部材４０に引っ張られて、移動を開始する。可動接触子３０は固定接触子２５から離れて、ガス遮断器１は開路状態になる。第２のガス室２２は、第１のガス室２０よりも高い消弧ガス圧力を有しているため、ガス遮断器１の開路状態（図３）においても、固定接触子２５及び可動接触子３０の第１端部３１の少なくとも１つに消弧ガスが依然として吹き付けられる。
【００４０】
このように、可動接触子３０が固定接触子２５から離れる前から可動接触子３０が固定接触子２５から離れた後までの間、固定接触子２５及び可動接触子３０の第１端部３１の少なくとも１つに消弧ガスが吹き付け続けられる。本実施の形態のガス遮断器１は、可動接触子３０が固定接触子２５から離れてアーク６０が発生する瞬間に、固定接触子２５及び可動接触子３０の第１端部３１の少なくとも１つに消弧ガスが既に吹き付けられているように構成されている。本実施の形態のガス遮断器１は、アーク６０を速やかに消すことができる。
【００４１】
ガス遮断器１が図３に示される開路状態から図１に示される閉路状態に遷移するガス遮断器１の閉路過程では、まず、可動接触子３０は固定接触子２５に接触する。次に、弁５５は開状態から閉状態に切り換わって、第２のガス室２２を第１のガス室２０から流体的に遮断する。それから、ポンプ６３は、第１のガス室２０に封入されている消弧ガスを第２のガス室２２に送る。ガス遮断器１が図１に示される閉路状態から図３に示される開路状態に遷移するときに第２のガス室２２から第１のガス室２０に向けて流出した消弧ガスを、ポンプ６３は第２のガス室２２へ戻す。ポンプ６３は、第１のガス室２０の消弧ガスの圧力を減少させるとともに、第２のガス室２２の消弧ガスの圧力を増加させる。
【００４２】
図１から図３に示されるように、本実施の形態の消弧方法は、固定接触子２５に接触している可動接触子３０を、固定接触子２５から離すことを備える。図２及び図３に示されるように、本実施の形態の消弧方法は、可動接触子３０が固定接触子２５から離れる前から可動接触子３０が固定接触子２５から離れた後までの間、固定接触子２５及び固定接触子２５側の可動接触子３０の第１端部３１の少なくとも１つに、消弧ガスを吹き付け続けることをさらに備える。本実施の形態の消弧方法では、可動接触子３０が固定接触子２５から離れてアーク６０が発生する瞬間に、固定接触子２５及び可動接触子３０の第１端部３１の少なくとも１つに消弧ガスが既に吹き付けられている。本実施の形態の消弧方法によれば、アーク６０は速やかに消され得る。
【００４３】
本実施の形態のガス遮断器１及び消弧方法の効果を説明する。
本実施の形態のガス遮断器１は、固定接触子２５と、固定接触子２５側の第１端部３１を有する可動接触子３０と、固定接触子２５及び第１端部３１の少なくとも１つに消弧ガスを吹き付けるガス吹付部（１３，１６，２０，２２，２６，５５）とを備える。ガス吹付部（１３，１６，２０，２２，２６，５５）は、可動接触子３０が固定接触子２５から離れる前から可動接触子３０が固定接触子２５から離れた後までの間、固定接触子２５及び第１端部３１の少なくとも１つに消弧ガスを吹き付け続けるように構成されている。
【００４４】
本実施の形態のガス遮断器１では、可動接触子３０が固定接触子２５から離れてアーク６０が発生する瞬間に、固定接触子２５及び可動接触子３０の第１端部３１の少なくとも１つに消弧ガスが既に吹き付けられている。本実施の形態のガス遮断器１は、アーク６０を速やかに消すことができる。本実施の形態のガス遮断器１は、高い消弧性能を有する。
【００４５】
本実施の形態のガス遮断器１では、ガス吹付部（１３，１６，２０，２２，２６，５５）は、第１の圧力を有する消弧ガスが封入される第１のガス室２０と、第１の圧力よりも高い第２の圧力を有する消弧ガスが封入される第２のガス室２２と、弁５５とを含む。弁５５は、弁５５が第２のガス室２２を第１のガス室２０から流体的に遮断する閉状態と、弁５５が第２のガス室２２を第１のガス室２０に流体的に連通させる開状態との間で切換可能に構成されている。固定接触子２５及び第１端部３１の少なくとも１つは、弁５５の開状態において形成される消弧ガスの流路内に配置されている。弁５５は、可動接触子３０が固定接触子２５から離れる前に、閉状態から開状態に切り換わるように構成されている。
【００４６】
本実施の形態のガス遮断器１では、可動接触子３０が固定接触子２５から離れる前に、弁５５は閉状態から開状態に切り換わる。そのため、可動接触子３０が固定接触子２５から離れてアーク６０が発生する瞬間に、固定接触子２５及び可動接触子３０の第１端部３１の少なくとも１つに消弧ガスが既に吹き付けられている。本実施の形態のガス遮断器１は、アーク６０を速やかに消すことができる。本実施の形態のガス遮断器１は、高い消弧性能を有する。
【００４７】
本実施の形態のガス遮断器１は、可動接触子３０をガイドするガイド部材（第１ガイド部材３７）をさらに備える。ガイド部材（第１ガイド部材３７）は、消弧ガスの流路の少なくとも一部を規定する。ガイド部材（第１ガイド部材３７）は、第２のガス室２２から第１のガス室２０に向けて流れる消弧ガスを、固定接触子２５及び可動接触子３０の第１端部３１の少なくとも１つに集中させる。本実施の形態のガス遮断器１は、さらに高い消弧性能を有する。
【００４８】
本実施の形態のガス遮断器１では、ガス吹付部（１３，１６，２０，２２，２６，５５）は、第１のガス室２０と第２のガス室２２とを仕切る仕切板（第２仕切板１６）を含む。仕切板（第２仕切板１６）は、第１のガス室２０と第２のガス室２２との間を流体的に接続する第１貫通孔１９と、端子板（第２端子板１７）とを有する。弁５５は、弁５５の閉状態において貫通孔（第１貫通孔１９）を閉塞し、弁５５の開状態において貫通孔（第１貫通孔１９）を開放する。可動接触子３０は、ガイド部材（第１ガイド部材３７）を介して、端子板（第２端子板１７）に電気的に接続されている。
【００４９】
本実施の形態のガス遮断器１は、ガス遮断器１の外部から可動接触子３０に電流が供給されるように構成されるとともに、第２のガス室２２から第１のガス室２０に向けて流れる消弧ガスが、固定接触子２５及び可動接触子３０の第１端部３１の少なくとも１つに集中的に吹き付けられるように構成されている。本実施の形態のガス遮断器１は、さらに高い消弧性能を有する。
【００５０】
本実施の形態のガス遮断器１は、可動接触子３０と弁５５とを接続する弾性部材４０をさらに備える。弁５５の閉状態において、弾性部材４０は圧縮されている。弾性部材４０は、可動接触子３０が固定接触子２５から離れる前に、弁５５が閉状態から開状態に切り換わることを可能にする。弾性部材４０は、可動接触子３０が固定接触子２５から離れてアーク６０が発生する瞬間に、固定接触子２５及び可動接触子３０の第１端部３１の少なくとも１つに消弧ガスが既に吹き付けられることを可能にする。本実施の形態のガス遮断器１は、高い消弧性能を有する。
【００５１】
本実施の形態のガス遮断器１は、駆動部５３と、駆動部５３によって駆動される可動部材（第１可動部材５０）とを備える。弁５５は、可動部材（第１可動部材５０）に取り付けられている。可動接触子３０は、弾性部材４０を介して、可動部材（第１可動部材５０）に接続されている。本実施の形態のガス遮断器１では、可動接触子３０が固定接触子２５から離れる前に、弁５５が閉状態から開状態に切り換わる。可動接触子３０が固定接触子２５から離れてアーク６０が発生する瞬間に、固定接触子２５及び可動接触子３０の第１端部３１の少なくとも１つに消弧ガスが既に吹き付けられている。本実施の形態のガス遮断器１は、高い消弧性能を有する。
【００５２】
本実施の形態のガス遮断器１では、可動接触子３０は、第１端部３１とは反対側の第２端部３２を有する。可動接触子３０は、第１端部３１に開口部３１ｐを有し、第２端部３２に孔（第２貫通孔３６）を有する筒状導電部材である。開口部３１ｐと孔（第２貫通孔３６）とを有する可動接触子３０は、第２のガス室２２から第１のガス室２０に向けて消弧ガスが円滑に流れることを可能にする。本実施の形態のガス遮断器１は、さらに高い消弧性能を有する。
【００５３】
本実施の形態のガス遮断器１では、可動接触子３０は、第１端部３１とは反対側の第２端部３２を有する。可動接触子３０は、第１端部３１に開口部３１ｐを有し、第２端部３２に孔（第２貫通孔３６）を有する筒状導電部材である。可動接触子３０は、ガイド部材（第１ガイド部材３７）を摺動する。開口部３１ｐと孔（第２貫通孔３６）とを有する可動接触子３０は、第２のガス室２２から第１のガス室２０に向けて消弧ガスが円滑に流れることを可能にする。ガイド部材（第１ガイド部材３７）は、第２のガス室２２から第１のガス室２０に向けて流れる消弧ガスを、固定接触子２５及び可動接触子３０の第１端部３１の少なくとも１つに集中させる。本実施の形態のガス遮断器１は、さらに高い消弧性能を有する。可動接触子３０は、ガイド部材（第１ガイド部材３７）を介して、ガス遮断器１の外部から電流が供給され得る。
【００５４】
本実施の形態のガス遮断器１では、ガス吹付部（１３，１６，２０，２２，２６，５５）は、消弧ガスを、固定接触子２５及び第１端部３１の少なくとも１つに向けてガイドするノズル２６を含む。ノズル２６は、第２のガス室２２から第１のガス室２０に向けて流れる消弧ガスを、固定接触子２５及び可動接触子３０の第１端部３１の少なくとも１つに集中させる。本実施の形態のガス遮断器１は、さらに高い消弧性能を有する。
【００５５】
本実施の形態の消弧方法は、固定接触子２５に接触している可動接触子３０を、固定接触子２５から離すことを備える。本実施の形態の消弧方法は、可動接触子３０が固定接触子２５から離れる前から可動接触子３０が固定接触子２５から離れた後までの間、固定接触子２５及び固定接触子２５側の可動接触子３０の第１端部３１の少なくとも１つに、消弧ガスを吹き付け続けることをさらに備える。本実施の形態の消弧方法では、可動接触子３０が固定接触子２５から離れてアーク６０が発生する瞬間に、固定接触子２５及び可動接触子３０の第１端部３１の少なくとも１つに消弧ガスが既に吹き付けられている。本実施の形態の消弧方法によれば、アーク６０は速やかに消され得る。本実施の形態の消弧方法は、高い消弧性能を有する。
【００５６】
実施の形態２．
図４から図６を参照して、実施の形態２に係るガス遮断器１ａを説明する。本実施の形態のガス遮断器１ａは、実施の形態１のガス遮断器１と同様の構成を備えるが、主に以下の点で異なる。
【００５７】
本実施の形態では、ガス吹付部（１３，１６，２０，２２，２６，５５ａ）は、第１の圧力を有する消弧ガスが封入される第１のガス室２０と、第１の圧力よりも高い第２の圧力を有する消弧ガスが封入される第２のガス室２２と、弁５５ａとを含む。ガス吹付部（１３，１６，２０，２２，２６，５５ａ）は、第１のガス室２３と第２のガス室２２とを仕切る第１仕切板１３と、第１のガス室２０と第２のガス室２２とを仕切る第２仕切板１６と、ノズル２６とを含んでもよい。
【００５８】
弁５５ａは、可動接触子３０側に開口するカップの形状を有する。弁５５ａの閉状態において、弁５５ａは、第２のガス室２２及び弁５５ａの内部５６を第１のガス室２０から流体的に遮断する。弁５５ａの閉状態において、弁５５ａの内部５６は、第２のガス室２２に流体的に連通している。弁５５ａは、弁５５ａの閉状態において、第１貫通孔１９を閉塞する。具体的には、弁５５ａの閉状態において、弁５５は、封止部材５７を介して第２仕切板１６（第２端子板１７）に密着して、第１貫通孔１９を閉塞する。弁５５ａの閉状態において、弁５５ａの内部５６に第２の圧力を有する消弧ガスが封入されている。弁５５ａの開状態において、弁５５ａは、第２のガス室２２及び弁５５ａの内部５６を第１のガス室２０に流体的に連通させる。弁５５ａの開状態において、弁５５は、第２仕切板１６（第２端子板１７）から離れて、第１貫通孔１９を開放する。
【００５９】
弾性部材４０は、弁５５ａの内部５６に収容されている。弁５５ａの閉状態において、弾性部材４０は圧縮されている。弁５５ａが閉状態にあるとき、弾性部材４０は、弾性部材４０の自然長よりも短い長さを有している。
【００６０】
本実施の形態のガス遮断器１ａは、第２可動部材５１をさらに備えてもよい。第２可動部材５１は、可動接触子３０と弾性部材４０とを接続する。第２可動部材５１は、可動接触子３０の第２端部３２に取り付けられている。第２可動部材５１は、可動接触子３０と一体的に動く。第２可動部材５１は、絶縁ロッドであってもよい。弁５５ａが閉状態にあるとき、第２可動部材５１は、第１貫通孔１９及び第１ガイド部材３７の第２内周部３９内に配置されてもよい。
【００６１】
本実施の形態のガス遮断器１ａの動作を説明する。
ガス遮断器１ａの閉路状態（図４）において、可動接触子３０は固定接触子２５に接触しており、弁５５ａは、弁５５ａが第２のガス室２２及び弁５５ａの内部５６を第１のガス室２０から流体的に遮断する閉状態にある。弁５５ａの閉状態において、弾性部材４０は圧縮されており、可動接触子３０を固定接触子２５に向けて付勢する。固定接触子２５は、可動接触子３０の第１端部３１に接触してもよい。弁５５ａの閉状態において、弁５５ａの内部５６は、第２のガス室２２に流体的に連通している。弁５５ａの内部５６の消弧ガスの圧力は、第２のガス室２２に封入されている消弧ガスの第２の圧力に等しい。弁５５ａの内部５６に第２の圧力を有する消弧ガスが封入されている。弁５５ａは、第２仕切板１６（第２端子板１７）に密着している。弁５５ａは、第２のガス室２２及び弁５５ａの内部５６から第１のガス室２０へ消弧ガスが流れることを阻止する。
【００６２】
ガス遮断器１ａの開路過程（図５）において、駆動部５３は第１可動部材５０を駆動して、弁５５ａは閉状態から開状態に切り換わる。弁５５ａは第２仕切板１６（第２端子板１７）から離れる。ガス遮断器１ａの開路過程においても、弾性部材４０は圧縮されており、弾性部材４０は可動接触子３０及び第２可動部材５１を固定接触子２５に向けて付勢し続ける。ガス遮断器１ａの開路過程においても、可動接触子３０は固定接触子２５に接触し続ける。
【００６３】
第２のガス室２２は、第１のガス室２０よりも高い消弧ガス圧力を有している。可動接触子３０及び固定接触子２５の少なくとも１つは、可動接触子３０が固定接触子２５に接触していても、可動接触子３０の第１内周部３８が可動接触子３０の第１端部３１の外側の第２のガス室２２に流体的に連通するように構成されている。弁５５ａが閉状態から開状態に切り換わると、消弧ガスは第２のガス室２２から第１のガス室２０に流れる。固定接触子２５及び可動接触子３０の第１端部３１の少なくとも１つは、弁５５ａの開状態において形成される消弧ガスの流路内に配置されている。可動接触子３０が固定接触子２５から離れる前から、固定接触子２５及び可動接触子３０の第１端部３１の少なくとも１つに消弧ガスが吹き付けられる。
【００６４】
弁５５ａの内部５６は、第１のガス室２０よりも高い消弧ガス圧力を有している。弁５５ａが閉状態から開状態に切り換わると、消弧ガスは弁５５ａの内部５６から第１のガス室２０に流れる。
【００６５】
図６に示されるように、駆動部５３が第１可動部材５０をさらに駆動して弁５５ａがさらに移動すると、弾性部材４０は、弾性部材４０の自然長よりも長くなる。可動接触子３０及び第２可動部材５１は、弾性部材４０に引っ張られて、移動を開始する。可動接触子３０は固定接触子２５から離れて、ガス遮断器１ａは開路状態になる。第２のガス室２２は、第１のガス室２０よりも高い消弧ガス圧力を有しているため、ガス遮断器１ａの開路状態（図６）においても、固定接触子２５及び可動接触子３０の第１端部３１の少なくとも１つに消弧ガスが依然として吹き付けられる。
【００６６】
このように、可動接触子３０が固定接触子２５から離れる前から可動接触子３０が固定接触子２５から離れた後までの間、固定接触子２５及び可動接触子３０の第１端部３１の少なくとも１つに消弧ガスが吹き付け続けられる。本実施の形態のガス遮断器１ａは、可動接触子３０が固定接触子２５から離れてアーク６０が発生する瞬間に、固定接触子２５及び可動接触子３０の第１端部３１の少なくとも１つに消弧ガスが既に吹き付けられているように構成されている。本実施の形態のガス遮断器１ａは、アーク６０を速やかに消すことができる。
【００６７】
弁５５ａの内部５６は、第１のガス室２０よりも高い消弧ガス圧力を有している。ガス遮断器１ａの開路状態（図６）においても、消弧ガスは弁５５ａの内部５６から第１のガス室２０に流れ続ける。弁５５ａの内部５６から第１のガス室２０に向けて流れる消弧ガスは、アーク６０により加熱された高温の消弧ガスが弾性部材４０に吹き付けられることを阻止する。弁５５ａの内部５６から第１のガス室２０に向けて流れる消弧ガスは、アーク６０により加熱された高温の消弧ガスが弾性部材４０を損傷すること及び弾性部材４０の弾性特性を変化させることを防ぐことができる。
【００６８】
本実施の形態のガス遮断器１ａの効果は、実施の形態１のガス遮断器１の効果に加えて、以下の効果を奏する。
【００６９】
本実施の形態のガス遮断器１ａでは、弁５５ａは、可動接触子３０側に開口するカップの形状を有する。弾性部材４０は、弁５５ａの内部５６に収容されている。弁５５ａの閉状態において、弁５５ａの内部５６に第２の圧力を有する消弧ガスが封入されている。
【００７０】
本実施の形態のガス遮断器１ａでは、可動接触子３０が固定接触子２５から離れてアーク６０が発生するとき、消弧ガスは弁５５ａの内部５６から第１のガス室２０に流れている。弁５５ａの内部５６から第１のガス室２０に向けて流れる消弧ガスは、アーク６０により加熱された高温の消弧ガスが弾性部材４０に吹き付けられることを阻止する。弁５５ａの内部５６から第１のガス室２０に向けて流れる消弧ガスは、アーク６０により加熱された高温の消弧ガスが弾性部材４０を損傷すること及び弾性部材４０の弾性特性を変化させることを防ぐことができる。本実施の形態のガス遮断器１ａは、高い消弧性能と長い寿命とを有する。
【００７１】
実施の形態３．
図７から図１２を参照して、実施の形態３に係るガス遮断器１ｂを説明する。本実施の形態のガス遮断器１ｂは、実施の形態１のガス遮断器１と同様の構成を備えるが、主に以下の点で異なる。
【００７２】
本実施の形態のガス遮断器１ｂは、弾性部材４０の長さを弾性部材４０の自然長以下に制限する制限部材７０をさらに備える。制限部材７０は、ガス遮断器１ｂの閉路状態（図７及び図８）、開路過程（図９及び図１０）及び開路状態（図１１及び図１２）において弾性部材４０の長さが弾性部材４０の自然長以下に制限されるように、弾性部材４０の伸びを制限する。本実施の形態のガス遮断器１ｂは、第２可動部材５１をさらに備えてもよい。
【００７３】
制限部材７０は、第１プレート７１と、第２プレート７２と、第２ガイド部材７５と、ストッパ７６とを含んでもよい。第１プレート７１は、第１可動部材５０に取り付けられてもよい。第１プレート７１は、第１可動部材５０と一体的に動いてもよい。第２プレート７２は、第２可動部材５１に取り付けられてもよい。第２プレート７２は、第２可動部材５１と一体的に動いてもよい。弁５５の閉状態（図７）において、制限部材７０は、第１ガイド部材３７の第２内周部３９内に配置されてもよい。
【００７４】
第２ガイド部材７５は、第１プレート７１及び第２プレート７２をガイドする。第１プレート７１及び第２プレート７２は、第２ガイド部材７５を摺動する。第２ガイド部材７５は棒状の部材であってもよい。第２ガイド部材７５は、第１プレート７１及び第２プレート７２のそれぞれに設けられた孔（図示せず）に差し込まれてもよい。
【００７５】
ストッパ７６は、第１プレート７１及び第２プレート７２の可動範囲を制限する。ストッパ７６は、第２ガイド部材７５よりも大きな径を有する部材であってもよい。ストッパ７６は、第２ガイド部材７５の両端に設けられてもよい。
【００７６】
第２可動部材５１は、可動接触子３０と制限部材７０とを接続する。第２可動部材５１は、可動接触子３０の第２端部３２と制限部材７０（第２プレート７２）とに取り付けられている。第２可動部材５１は、可動接触子３０及び第２プレート７２と一体的に動いてもよい。第２可動部材５１は、絶縁ロッドであってもよい。弁５５の閉状態（図７）において、第２可動部材５１は、第１ガイド部材３７の第２内周部３９内に配置されてもよい。
【００７７】
本実施の形態のガス遮断器１ｂの動作を説明する。
ガス遮断器１ｂの閉路状態（図７及び図８）において、可動接触子３０は、可動接触子３０が固定接触子２５に接触しており、弁５５は、弁５５が第２のガス室２２を第１のガス室２０から流体的に遮断する閉状態にある。弁５５の閉状態において、弾性部材４０は圧縮されており、可動接触子３０を固定接触子２５に向けて付勢する。固定接触子２５は、可動接触子３０の第１端部３１に接触してもよい。弁５５は、第２仕切板１６（第２端子板１７）に密着している。弁５５は、第２のガス室２２から第１のガス室２０へ消弧ガスが流れることを阻止する。
【００７８】
ガス遮断器１ｂの開路過程（図９及び図１０）において、駆動部５３は第１可動部材５０を駆動して、弁５５が閉状態から開状態に切り換わる。弁５５は、第２仕切板１６（第２端子板１７）から離れる。ガス遮断器１ｂの開路過程においても、制限部材７０によって、弾性部材４０の長さは弾性部材４０の自然長以下に制限される。ガス遮断器１ｂの開路過程（図９及び図１０）においても、弾性部材４０は可動接触子３０及び第２可動部材５１を固定接触子２５に向けて付勢し続ける。ガス遮断器１ｂの開路過程においても、可動接触子３０は固定接触子２５に接触し続ける。
【００７９】
第２のガス室２２は、第１のガス室２０よりも高い消弧ガス圧力を有している。可動接触子３０及び固定接触子２５の少なくとも１つは、可動接触子３０が固定接触子２５に接触していても、可動接触子３０の第１内周部３８が可動接触子３０の第１端部３１の外側の第２のガス室２２に流体的に連通するように構成されている。弁５５が閉状態から開状態に切り換わると、消弧ガスは第２のガス室２２から第１のガス室２０に流れる。固定接触子２５及び可動接触子３０の第１端部３１の少なくとも１つは、弁５５の開状態において形成される消弧ガスの流路内に配置されている。可動接触子３０が固定接触子２５から離れる前から、固定接触子２５及び可動接触子３０の第１端部３１の少なくとも１つに消弧ガスが吹き付けられる。
【００８０】
図１１及び図１２に示されるように、駆動部５３が第１可動部材５０をさらに駆動して弁５５がさらに移動すると、第１プレート７１及び第２プレート７２がストッパ７６に接触して、第２可動部材５１は、制限部材７０及び第１可動部材５０と一体的に動き始める。可動接触子３０は、第２可動部材５１、制限部材７０及び第１可動部材５０とともに移動する。可動接触子３０は固定接触子２５から離れる。こうして、ガス遮断器１ｂは開路状態になる。第２のガス室２２は、第１のガス室２０よりも高い消弧ガス圧力を有しているため、ガス遮断器１ｂの開路状態（図１１及び図１２）においても、固定接触子２５及び可動接触子３０の第１端部３１の少なくとも１つに消弧ガスが依然として吹き付けられる。ガス遮断器１ｂの開路状態（図１１及び図１２）においても、制限部材７０によって、弾性部材４０の長さは弾性部材４０の自然長以下に制限される。
【００８１】
このように、可動接触子３０が固定接触子２５から離れる前から可動接触子３０が固定接触子２５から離れた後までの間、固定接触子２５及び可動接触子３０の第１端部３１の少なくとも１つに消弧ガスが吹き付け続けられる。本実施の形態のガス遮断器１ｂは、可動接触子３０が固定接触子２５から離れてアーク６０が発生する瞬間に、固定接触子２５及び可動接触子３０の第１端部３１の少なくとも１つに消弧ガスが既に吹き付けられているように構成されている。本実施の形態のガス遮断器１ｂは、アーク６０を速やかに消すことができる。
【００８２】
本実施の形態のガス遮断器１ｂの効果は、実施の形態１のガス遮断器１の効果に加えて、以下の効果を奏する。
【００８３】
本実施の形態のガス遮断器１ｂは、弾性部材４０の長さを弾性部材４０の自然長以下に制限する制限部材７０をさらに備える。制限部材７０は、弾性部材４０が弾性部材４０の自然長よりも伸びてそれから大きく縮むことを阻止する。本実施の形態のガス遮断器１ｂは、ガス遮断器１ｂの開路過程（図９及び図１０）及び開路状態（図１１及び図１２）において、伸縮する弾性部材４０によって可動接触子３０が固定接触子２５に再び接触することを防ぐことができる。本実施の形態のガス遮断器１ｂは、ガス遮断器１ｂの開路過程（図９及び図１０）及び開路状態（図１１及び図１２）において、電流遮断性能が低下することを防止することができる。
【００８４】
実施の形態４．
図１３から図１５を参照して、実施の形態４に係るガス遮断器１ｃを説明する。本実施の形態のガス遮断器１ｃは、実施の形態１のガス遮断器１と同様の構成を備えるが、主に以下の点で異なる。
【００８５】
本実施の形態のガス遮断器１ｃでは、可動接触子３０ｃは、導電棒部材３３を含む。可動接触子３０ｃ（導電棒部材３３）は、固定接触子２５ｃ側の第１端部３１ｃと、第１端部３１ｃとは反対側の第２端部３２ｃとを有する。可動接触子３０ｃ（導電棒部材３３）の第２端部３２ｃは、第１可動部材５０に取り付けられている。弁５５及び可動接触子３０ｃ（導電棒部材３３）は、第１可動部材５０に取り付けられている。弁５５及び可動接触子３０ｃ（導電棒部材３３）は、第１可動部材５０と一体的に動く。
【００８６】
本実施の形態のガス遮断器１ｃでは、可動接触子３０ｃは、導電摺動部材３４をさらに含んでもよい。導電摺動部材３４は、導電棒部材３３に取り付けられている。導電摺動部材３４は、導電棒部材３３と一体的に動く。導電摺動部材３４は、第１ガイド部材３７を摺動する。可動接触子３０は、第１ガイド部材３７の内周部（第３内周部３８ｃ、第２内周部３９ｃ）を摺動してもよい。可動接触子３０ｃは、第２導体６に電気的に接続されている。具体的には、可動接触子３０ｃは、第２導電部材８、第２端子板１７、第１ガイド部材３７及び導電摺動部材３４を介して、第２導体６に電気的に接続されている。
【００８７】
導電摺動部材３４は、導電摺動部材３４の第１端部３１ｃ側に隣接する第１ガイド部材３７の第３内周部３８ｃと、導電摺動部材３４の弁５５側に隣接する第１ガイド部材３７の第２内周部３９ｃとを流体的に連通させるように構成されている。例えば、導電摺動部材３４は、導電摺動部材３４の第１端部３１ｃ側に隣接する第１ガイド部材３７の第３内周部３８ｃと、導電摺動部材３４の弁５５側に隣接する第１ガイド部材３７の第２内周部３９ｃとに連通する第２貫通孔３６ｃを有してもよい。
【００８８】
弁５５の閉状態において、固定接触子２５ｃは、第１端部３１ｃから離れた導電棒部材３３の側面に接触している。固定接触子２５ｃは、フィンガ接触子であってもよい。
【００８９】
本実施の形態では、ガス吹付部（１３，１６，２０，２２，２６ｃ，５５）は、第１の圧力を有する消弧ガスが封入される第１のガス室２０と、第１の圧力よりも高い第２の圧力を有する消弧ガスが封入される第２のガス室２２と、弁５５とを含む。ガス吹付部（１３，１６，２０，２２，２６ｃ，５５）は、第１のガス室２３と第２のガス室２２とを仕切る第１仕切板１３と、第１のガス室２０と第２のガス室２２とを仕切る第２仕切板１６と、ノズル２６ｃとを含んでもよい。
【００９０】
ノズル２６ｃは、第１ガイド部材３７に取り付けられてもよい。特定的には、ノズル２６ｃの基部２７ｃは、第１ガイド部材３７の固定接触子２５ｃ側の端部に取り付けられてもよい。突出部２８ｃは、固定接触子２５ｃの可動接触子３０ｃ側の端部を囲んでもよい。ガス遮断器１ｃの閉路状態（図１３）及び開路過程（図１４）において、突出部２８ｃは、可動接触子３０ｃの第１端部３１ｃを囲んでもよい。ガス遮断器１ｃの閉路状態（図１３）及び開路過程（図１４）において、突出部２８ｃは、固定接触子２５ｃと可動接触子３０ｃとの接触部を囲んでもよい。
【００９１】
突出部２８ｃは、固定接触子２５ｃから隙間を空けて配置されている。図１４及び図１５に示される弁５５の開状態において、消弧ガスは、突出部２８ｃと固定接触子２５ｃとの隙間を、固定接触子２５ｃ及び可動接触子３０ｃの第１端部３１ｃの少なくとも１つに向けて流れる。ノズル２６ｃは、第２のガス室２２から第１のガス室２０に向けて流れる消弧ガスを、固定接触子２５ｃ及び可動接触子３０ｃの第１端部３１ｃの少なくとも１つに集中させる。
【００９２】
本実施の形態のガス遮断器１ｃの動作を説明する。
ガス遮断器１ｃの閉路状態（図１３）において、可動接触子３０ｃは、可動接触子３０ｃが固定接触子２５ｃに接触しており、弁５５は、弁５５が第２のガス室２２を第１のガス室２０から流体的に遮断する閉状態にある。弁５５の閉状態において、固定接触子２５ｃは、第１端部３１ｃから離れた可動接触子３０ｃ（導電棒部材３３）の側面に接触している。弁５５は、第２仕切板１６（第２端子板１７）に密着している。弁５５は、第２のガス室２２から第１のガス室２０へ消弧ガスが流れることを阻止する。
【００９３】
ガス遮断器１ｃの開路過程（図１４）において、駆動部５３は第１可動部材５０を駆動して、弁５５は閉状態から開状態に切り換わる。弁５５は、第２仕切板１６（第２端子板１７）から離れる。第１可動部材５０が移動すると、可動接触子３０ｃ（導電棒部材３３）も移動する。ガス遮断器１ｃの開路過程においても、固定接触子２５ｃは、可動接触子３０ｃ（導電棒部材３３）の側面に接触し続ける。ガス遮断器１ｃの開路過程においても、可動接触子３０ｃは固定接触子２５ｃに接触し続ける。
【００９４】
第２のガス室２２は、第１のガス室２０よりも高い消弧ガス圧力を有している。可動接触子３０ｃ及び固定接触子２５ｃの少なくとも１つは、可動接触子３０ｃが固定接触子２５ｃに接触していても、可動接触子３０ｃの第１内周部３８が第１端部３１側の可動接触子３０ｃの外部の第２のガス室２２に流体的に連通するように構成されている。弁５５が閉状態から開状態に切り換わると、消弧ガスは第２のガス室２２から第１のガス室２０に流れる。固定接触子２５ｃ及び可動接触子３０ｃの第１端部３１ｃの少なくとも１つは、弁５５の開状態において形成される消弧ガスの流路内に配置されている。可動接触子３０ｃが固定接触子２５ｃから離れる前から、固定接触子２５ｃ及び可動接触子３０ｃの第１端部３１ｃの少なくとも１つに消弧ガスが吹き付けられる。
【００９５】
図１５に示されるように、駆動部５３が第１可動部材５０をさらに駆動して、弁５５及び可動接触子３０ｃがさらに移動すると、可動接触子３０ｃは固定接触子２５ｃから離れる。こうして、ガス遮断器１ｃは開路状態になる。第２のガス室２２は、第１のガス室２０よりも高い消弧ガス圧力を有しているため、ガス遮断器１ｃの開路状態（図１５）においても、固定接触子２５ｃ及び可動接触子３０ｃの第１端部３１ｃの少なくとも１つに消弧ガスが依然として吹き付けられる。
【００９６】
このように、可動接触子３０ｃが固定接触子２５ｃから離れる前から可動接触子３０ｃが固定接触子２５ｃから離れた後までの間、固定接触子２５ｃ及び可動接触子３０ｃの第１端部３１ｃの少なくとも１つに消弧ガスが吹き付け続けられる。本実施の形態のガス遮断器１ｃは、可動接触子３０ｃが固定接触子２５ｃから離れてアーク６０が発生する瞬間に、固定接触子２５ｃ及び可動接触子３０ｃの第１端部３１ｃの少なくとも１つに消弧ガスが既に吹き付けられているように構成されている。本実施の形態のガス遮断器１ｃは、アーク６０を速やかに消すことができる。
【００９７】
本実施の形態のガス遮断器１ｃの効果は、実施の形態１のガス遮断器１の効果に加えて、以下の効果を奏する。
【００９８】
本実施の形態のガス遮断器１ｃでは、可動接触子３０ｃは、導電棒部材３３を含む。弁５５の閉状態において、固定接触子２５ｃは、第１端部３１ｃから離れた導電棒部材３３の側面に接触している。そのため、可動接触子３０ｃが固定接触子２５ｃから離れる前に、弁５５が閉状態から開状態に切り換わる。本実施の形態のガス遮断器１ｃは、可動接触子３０ｃが固定接触子２５ｃから離れてアーク６０が発生する瞬間に、固定接触子２５ｃ及び可動接触子３０ｃの第１端部３１ｃの少なくとも１つに消弧ガスが既に吹き付けられるように構成されている。本実施の形態のガス遮断器１ｃは、高い消弧性能を有する。
【００９９】
本実施の形態のガス遮断器１ｃでは、可動接触子３０ｃは、ガイド部材（第１ガイド部材３７）を摺動する導電摺動部材３４と、導電摺動部材３４に取り付けられた導電棒部材３３とを含む。弁５５の閉状態において、固定接触子２５ｃは、第１端部３１ｃから離れた導電棒部材３３の側面に接触する。導電摺動部材３４は、導電摺動部材３４の第１端部３１ｃ側に隣接するガイド部材（第１ガイド部材３７）の第１内周部（第３内周部３８ｃ）と導電摺動部材３４の弁５５側に隣接するガイド部材（第１ガイド部材３７）の第２内周部３９ｃとを流体的に連通させるように構成されている。
【０１００】
可動接触子３０ｃが固定接触子２５ｃから離れる前に、弁５５が閉状態から開状態に切り換わる。本実施の形態のガス遮断器１ｃは、可動接触子３０ｃが固定接触子２５ｃから離れてアーク６０が発生する瞬間に、固定接触子２５ｃ及び可動接触子３０ｃの第１端部３１ｃの少なくとも１つに消弧ガスが既に吹き付けられるように構成されている。ガイド部材（第１ガイド部材３７）は、第２のガス室２２から第１のガス室２０に向けて流れる消弧ガスを、固定接触子２５ｃ及び可動接触子３０ｃの第１端部３１ｃの少なくとも１つに集中させる。本実施の形態のガス遮断器１ｃは、さらに高い消弧性能を有する。導電摺動部材３４を含む可動接触子３０ｃは、第２のガス室２２から第１のガス室２０に向けて消弧ガスを円滑に流すことができる。導電棒部材３３は、ガイド部材（第１ガイド部材３７）及び導電摺動部材３４を介して、ガス遮断器１ｃの外部から電流が供給され得る。
【０１０１】
本実施の形態のガス遮断器１ｃは、駆動部５３と、駆動部５３によって駆動される可動部材とを備える。弁５５及び可動接触子３０ｃは、可動部材に取り付けられている。本実施の形態のガス遮断器１ｃでは、可動接触子３０ｃが固定接触子２５ｃから離れる前に、弁５５が閉状態から開状態に切り換わる。可動接触子３０ｃが固定接触子２５ｃから離れてアーク６０が発生する瞬間に、固定接触子２５ｃ及び可動接触子３０ｃの第１端部３１ｃの少なくとも１つに消弧ガスが既に吹き付けられている。本実施の形態のガス遮断器１ｃは、高い消弧性能を有する。
【０１０２】
実施の形態５．
図１６を参照して、実施の形態５に係るガス遮断器１ｄを説明する。本実施の形態のガス遮断器１ｄは、実施の形態１のガス遮断器１と同様の構成を備えるが、主に以下の点で異なる。
【０１０３】
本実施の形態では、ガス吹付部（１３ｄ，１６ｄ，２０，２２，２３，２４，２６，５５）は、第１の圧力を有する消弧ガスが封入される第１のガス室２０，２４と、第１の圧力よりも高い第２の圧力を有する消弧ガスが封入される第２のガス室２２と、弁５５とを含む。ガス吹付部（１３ｄ，１６ｄ，２０，２２，２３，２４，２６，５５）は、第１のガス室２３と、第１のガス室２３と第２のガス室２２とを仕切る第１仕切板１３ｄと、第１のガス室２０と第２のガス室２２とを仕切る第２仕切板１６ｄと、ノズル２６とを含んでもよい。
【０１０４】
本実施の形態のガス遮断器１ｄでは、第１のガス室２０，２３，２４と第２のガス室２２とは、ガスタンク９ｄの内部空間を仕切ることによって形成されてもよい。具体的には、第１のガス室２０，２３，２４と第２のガス室２２とは、第１仕切板１３ｄと第２仕切板１６ｄと第１の筒部材１２とによりガスタンク９ｄの内部空間を仕切ることによって形成されてもよい。
【０１０５】
ガスタンク９ｄの外壁（１０，１１ｄ）は、第１の外壁１０と第２の外壁１１ｄとを含んでいる。第１の外壁１０は、第１仕切板１３ｄ側の第１のガス室２３と、第２仕切板１６ｄ側の第１のガス室２０とに接している。第２の外壁１１ｄは、第１のガス室２４に接している。第２の外壁１１ｄは、第１のガス室２３に接する第１の外壁１０と、第１のガス室２０に接する第１の外壁１０とを接続してもよい。
【０１０６】
第２のガス室２２は、ガスタンク９ｄの外壁（１０，１１ｄ）から隔離されている。第２のガス室２２は、ガスタンク９ｄの外壁（１０，１１ｄ）に接していない。具体的には、第２のガス室２２は、第１仕切板１３ｄ、第２仕切板１６ｄ及び第１の筒部材１２によって、ガスタンク９ｄの外壁（１０，１１ｄ）から隔離されている。第２のガス室２２は、第１仕切板１３ｄ、第２仕切板１６ｄ及び第１の筒部材１２によって区画されている。第１の筒部材１２は、第１仕切板１３ｄ（第１端子板１４）及び第２仕切板１６ｄ（第１端子板１４）に密着している。弁５５が第２のガス室２２を第１のガス室２０から流体的に遮断する閉状態にあるとき（図１６）、第２のガス室２２は、第１仕切板１３ｄ、第２仕切板１６ｄ、弁５５及び第１の筒部材１２によって密閉されている。第１の筒部材１２は、電気的絶縁性を有してもよい。
【０１０７】
第１の筒部材１２とガスタンク９ｄの第２の外壁１１ｄとの間の第１のガス室２４は、第２仕切板１６ｄ側の第１のガス室２０に流体的に連通してもよい。第２絶縁スペーサ１８ｄは、第１の筒部材１２とガスタンク９ｄの第２の外壁１１ｄとの間の第１のガス室２４が、第２仕切板１６ｄ側の第１のガス室２０に流体的に連通するように構成されてもよい。例えば、第２絶縁スペーサ１８ｄは、第１の筒部材１２とガスタンク９ｄの第２の外壁１１ｄとの間の第１のガス室２４と第２仕切板１６ｄ側の第１のガス室２０とを接続する貫通孔（図示せず）を有してもよい。
【０１０８】
第１の筒部材１２とガスタンク９ｄの第２の外壁１１ｄとの間の第１のガス室２４は、第１仕切板１３ｄ側の第１のガス室２３に流体的に連通してもよい。第１絶縁スペーサ１５ｄは、第１の筒部材１２とガスタンク９ｄの第２の外壁１１ｄとの間の第１のガス室２４が、第１仕切板１３ｄ側の第１のガス室２３に流体的に連通するように構成されてもよい。例えば、第１絶縁スペーサ１５ｄは、第１の筒部材１２とガスタンク９ｄの第２の外壁１１ｄとの間の第１のガス室２４と第１仕切板１３ｄ側の第１のガス室２３とを接続する貫通孔（図示せず）を有してもよい。
【０１０９】
第２のガス室２２は、第１のガス室２０，２３，２４によって囲まれてもよい。第１のガス室２４に接するガスタンク９ｄの第２の外壁１１ｄは、第１のガス室２３及び第１のガス室２０に接するガスタンク９ｄの第１の外壁１０と、同じ厚さを有してもよい。
【０１１０】
本実施の形態のガス遮断器１ｄの効果は、実施の形態１のガス遮断器１の効果に加えて、以下の効果を奏する。
【０１１１】
本実施の形態のガス遮断器１ｄでは、第１のガス室２０，２３，２４と第２のガス室２２とは、ガスタンク９ｄの内部空間を仕切ることによって形成されている。第２のガス室２２は、ガスタンク９ｄの外壁（１０，１１ｄ）から隔離されている。そのため、本実施の形態のガス遮断器１ｄでは、従来と同様の、薄い外壁（１０，１１ｄ）を有するガスタンク９ｄを用いることができる。本実施の形態のガス遮断器１ｄによれば、ガスタンク９ｄの構造設計が簡単化され得る。
【０１１２】
実施の形態６．
図１７から図２０を参照して、実施の形態６に係るガス遮断器１ｅを説明する。本実施の形態のガス遮断器１ｅは、実施の形態２のガス遮断器１ａと同様の構成を備えるが、主に以下の点で異なる。
【０１１３】
本実施の形態のガス遮断器１ｅは、第１の筒部材１２と、第２の筒部材１２ｅとをさらに備える。本実施の形態における第１の筒部材１２は、実施の形態５における第１の筒部材１２と同様に構成されている。本実施の形態では、実施の形態２の第２の外壁１１を含むガスタンク９に代えて、実施の形態５の第２の外壁１１ｄを含むガスタンク９ｄが用いられている。本実施の形態では、実施の形態２の第１仕切板１３、第１絶縁スペーサ１５、第２仕切板１６及び第２絶縁スペーサ１８に代えて、実施の形態５の第１仕切板１３ｄ、第１絶縁スペーサ１５ｄ、第２仕切板１６ｄ及び第２絶縁スペーサ１８ｄが用いられている。実施の形態５と同様に、第１仕切板１３ｄは、第１のガス室２３と第２のガス室２２とを仕切る。実施の形態５と同様に、第１のガス室２０，２３，２４と第２のガス室２２とは、第１仕切板１３ｄと第２仕切板１６ｄと第１の筒部材１２とによりガスタンク９ｄの内部空間を仕切ることによって形成されている。
【０１１４】
第１のガス室２０は、第１のサブガス室２０ｆと第２のサブガス室２０ｇとを含んでいる。第１のサブガス室２０ｆは、第２のガス室２２と第２のサブガス室２０ｇとの間にある。第２の筒部材１２ｅは、第１のガス室２０を第１のサブガス室２０ｆと第２のサブガス室２０ｇとに分ける。第１の筒部材１２と第２の筒部材１２ｅとは一体化されてもよい。第２の筒部材１２ｅは、電気的絶縁性を有してもよい。第２の筒部材１２ｅは、第３貫通孔１９ｆを有している。第１可動部材５０は、第３貫通孔１９ｆを貫通している。第２の筒部材１２ｅは、弁５５ａに面する第２の筒部材１２ｅの表面に、Ｏリングのような封止部材５８を含んでもよい。図２０に示されるように、弁５５ａが第１のサブガス室２０ｆを第２のサブガス室２０ｇから流体的に遮断する第２の開状態にあるときに、封止部材５８は、弁５５ａと第２の筒部材１２ｅとの間から消弧ガスが漏れることを防ぐ。封止部材５８は、弁５５ａに面する第２の筒部材１２ｅの表面に設けられた凹部内に配置されてもよい。
【０１１５】
弁５５ａは、弁５５ａが第２のガス室２２を第１のサブガス室２０ｆから流体的に遮断する閉状態（図１７）と、弁５５ａが第２のガス室２２を第１のサブガス室２０ｆに流体的に連通させる開状態（図１８から図２０）との間で切換可能に構成されている。開状態は、弁５５ａが第２のガス室２２を第１のサブガス室２０ｆに流体的に連通させ、かつ、第１のサブガス室２０ｆを第２のサブガス室２０ｇに流体的に連通させる第１の開状態（図１８及び図１９）と、弁５５ａが第２のガス室２２を第１のサブガス室２０ｆに流体的に連通させ、かつ、第１のサブガス室２０ｆを第２のサブガス室２０ｇから流体的に遮断する第２の開状態（図２０）とを含む。弁５５ａは、第１の開状態と第２の開状態との間で切換可能に構成されている。すなわち、弁５５ａは、閉状態と第１の開状態と第２の開状態との間で切換可能に構成されている。
【０１１６】
具体的には、弁５５ａは、弁５５ａの閉状態（図１７）において、封止部材５７を介して第２仕切板１６（第２端子板１７）に密着して、第１貫通孔１９を閉塞する。弁５５ａは、弁５５ａの閉状態において、第２の筒部材１２ｅから離れており、第３貫通孔１９ｆを開放している。
【０１１７】
弁５５ａは、弁５５ａの第１の開状態（図１８及び図１９）において、第２仕切板１６（第２端子板１７）から離れて、第１貫通孔１９を開放する。弁５５ａは、弁５５ａの第１の開状態において、第２の筒部材１２ｅから離れており、第３貫通孔１９ｆを開放している。固定接触子２５及び第１端部３１の少なくとも１つは、弁５５ａの第１の開状態において形成される消弧ガスの流路内に配置されている。図１８に示されるように、弁５５ａは、可動接触子３０が固定接触子２５から離れる前に、閉状態から第１の開状態に切り換わるように構成されている。図１８及び図１９に示されるように、ガス吹付部（１３，１６，２０，２２，２３，２４，２６，５５ａ）は、固定接触子２５及び可動接触子３０の第１端部３１の少なくとも１つに消弧ガスを吹き付ける。ガス吹付部（１３，１６，２０，２２，２３，２４，２６，５５ａ）は、可動接触子３０が固定接触子２５から離れる前から可動接触子３０が固定接触子２５から離れた後までの間、固定接触子２５及び可動接触子３０の第１端部３１の少なくとも１つに消弧ガスを吹き付け続けるように構成されている。
【０１１８】
弁５５ａは、弁５５ａの第２の開状態（図２０）において、封止部材５８を介して第２の筒部材１２ｅに密着して、第３貫通孔１９ｆを閉塞する。弁５５ａは、弁５５ａの第２の開状態において、第２仕切板１６（第２端子板１７）から離れており、第１貫通孔１９を開放している。図２０に示されるように、弁５５ａは、可動接触子３０が固定接触子２５から離れた後に、第１の開状態から第２の開状態に切り換わるように構成されている。そのため、アーク６０が消弧された後に、高い圧力を有する消弧ガスが、第２のガス室２２から第２のサブガス室２０ｇに流出し続けることが防止される。
【０１１９】
本実施の形態のガス遮断器１ｅの動作を説明する。
実施の形態２のガス遮断器１ａと同様に、本実施の形態のガス遮断器１ｅの閉路状態（図１７）において、可動接触子３０は固定接触子２５に接触しており、弁５５ａは、弁５５ａが第２のガス室２２及び弁５５ａの内部５６を第１のサブガス室２０ｆから流体的に遮断する閉状態にある。弁５５ａは、第２のガス室２２及び弁５５ａの内部５６から第１のガス室２０（第１のサブガス室２０ｆ及び第２のサブガス室２０ｇ）へ消弧ガスが流れることを阻止する。ガス遮断器１ｅの閉路状態（図１７）において、弁５５ａは、第２の筒部材１２ｅから離れており、第３貫通孔１９ｆを開放している。
【０１２０】
実施の形態２のガス遮断器１ａと同様に、本実施の形態のガス遮断器１ｅの開路過程（図１８）において、弁５５ａは閉状態から開状態に切り換わる。特定的には、弁５５ａは閉状態から第１の開状態に切り換わる。弁５５ａは、第２仕切板１６（第２端子板１７）から離れて、第１貫通孔１９を開放する。弁５５ａは、第２の筒部材１２ｅから離れており、第３貫通孔１９ｆを開放している。ガス遮断器１ｅの開路過程（図１８）においても、可動接触子３０は固定接触子２５に接触し続ける。弁５５ａが閉状態から第１の開状態に切り換わると、消弧ガスは第２のガス室２２及び弁５５ａの内部５６から第１のガス室２０（第１のサブガス室２０ｆ及び第２のサブガス室２０ｇ）に流れる。固定接触子２５及び可動接触子３０の第１端部３１の少なくとも１つは、弁５５ａの第１の開状態において形成される消弧ガスの流路内に配置されている。可動接触子３０が固定接触子２５から離れる前から、固定接触子２５及び可動接触子３０の第１端部３１の少なくとも１つに消弧ガスが吹き付けられる。
【０１２１】
図１９に示されるように、駆動部５３が第１可動部材５０をさらに駆動して弁５５ａがさらに移動すると、弾性部材４０は、弾性部材４０の自然長よりも長くなる。可動接触子３０及び第２可動部材５１は、弾性部材４０に引っ張られて、移動を開始する。可動接触子３０は固定接触子２５から離れて、ガス遮断器１ｅは開路状態になる。第２のガス室２２は、第１のガス室２０（第１のサブガス室２０ｆ及び第２のサブガス室２０ｇ）よりも高い消弧ガス圧力を有しているため、ガス遮断器１ｅの開路状態（図１９）においても、固定接触子２５及び可動接触子３０の第１端部３１の少なくとも１つに消弧ガスが依然として吹き付けられる。
【０１２２】
このように、可動接触子３０が固定接触子２５から離れる前から可動接触子３０が固定接触子２５から離れた後までの間、固定接触子２５及び可動接触子３０の第１端部３１の少なくとも１つに消弧ガスが吹き付け続けられる。本実施の形態のガス遮断器１ｅは、可動接触子３０が固定接触子２５から離れてアーク６０が発生する瞬間に、固定接触子２５及び可動接触子３０の第１端部３１の少なくとも１つに消弧ガスが既に吹き付けられているように構成されている。本実施の形態のガス遮断器１ｅは、アーク６０を速やかに消すことができる。
【０１２３】
図２０に示されるように、駆動部５３が第１可動部材５０をさらに駆動して弁５５ａがさらに移動すると、弁５５ａは第１の開状態から第２の開状態に切り換わる。弁５５ａは、封止部材５８を介して第２の筒部材１２ｅに密着して、第３貫通孔１９ｆを閉塞する。そのため、アーク６０が消弧された後に、高い圧力を有する消弧ガスが、第２のガス室２２から第２のサブガス室２０ｇに流出し続けることが防止される。弁５５ａは、弁５５ａの第２の開状態において、第２仕切板１６（第２端子板１７）から離れており、第１貫通孔１９を開放している。
【０１２４】
ガス遮断器１ｅが図２０に示される開路状態から図１７に示される閉路状態に遷移するガス遮断器１ｅの閉路過程では、まず、弁５５ａは第２の開状態（図２０）から第１の開状態（図１９）に切り換わる。それから、図１８に示されるように、可動接触子３０は固定接触子２５に接触する。次に、弁５５ａは第１の開状態から閉状態（図１７）に切り換わって、第２のガス室２２を第１のガス室２０（第１のサブガス室２０ｆ及び第２のサブガス室２０ｇ）から流体的に遮断する。それから、ポンプ６３は、第１のガス室２０（第１のサブガス室２０ｆ及び第２のサブガス室２０ｇ）に封入されている消弧ガスを第２のガス室２２に送る。ガス遮断器１ｅが図１７に示される閉路状態から図１８及び図１９に示される開路状態に遷移するときに第２のガス室２２から第２のサブガス室２０ｇに向けて流出した消弧ガスを、ポンプ６３は第２のガス室２２へ戻す。ポンプ６３は、第１のガス室２０の消弧ガスの圧力を減少させるとともに、第２のガス室２２の消弧ガスの圧力を増加させる。
【０１２５】
本実施の形態のガス遮断器１ｅの効果は、実施の形態２のガス遮断器１ａの効果に加えて、以下の効果を奏する。
【０１２６】
本実施の形態のガス遮断器１ｅでは、ガス吹付部（１３，１６，２０，２２，２３，２４，２６，５５ａ）は、第１の圧力を有する消弧ガスが封入される第１のガス室２０と、第１の圧力よりも高い第２の圧力を有する消弧ガスが封入される第２のガス室２２と、弁５５ａとを含む。第１のガス室２０は、第１のサブガス室２０ｆと第２のサブガス室２０ｇとを含む。第１のサブガス室２０ｆは、第２のガス室２２と第２のサブガス室２０ｇとの間にある。弁５５ａは、弁５５ａが第２のガス室２２を第１のサブガス室２０ｆから流体的に遮断する閉状態と、弁５５ａが第２のガス室２２を第１のサブガス室２０ｆに流体的に連通させる開状態との間で切換可能に構成されている。
【０１２７】
開状態は、弁５５ａが第２のガス室２２を第１のサブガス室２０ｆに流体的に連通させ、かつ、第１のサブガス室２０ｆを第２のサブガス室２０ｇに流体的に連通させる第１の開状態と、弁５５ａが第２のガス室２２を第１のサブガス室２０ｆに流体的に連通させ、かつ、第１のサブガス室２０ｆを第２のサブガス室２０ｇから流体的に遮断する第２の開状態とを含む。弁５５ａは、第１の開状態と第２の開状態との間で切換可能に構成されている。固定接触子２５及び第１端部３１の少なくとも１つは、弁５５ａの第１の開状態において形成される消弧ガスの流路内に配置されている。弁５５ａは、可動接触子３０が固定接触子２５から離れる前に、閉状態から第１の開状態に切り換わるように構成されている。弁５５ａは、可動接触子３０が固定接触子２５から離れた後に、第１の開状態から第２の開状態に切り換わるように構成されている。
【０１２８】
本実施の形態のガス遮断器１ｅでは、アーク６０が消弧された後に、高い圧力を有する消弧ガスが、第２のガス室２２から第２のサブガス室２０ｇに流出し続けることが防止される。本実施の形態のガス遮断器１ｅによれば、ポンプ６３を用いて消弧ガスを第１のガス室２０から第２のガス室２２へ戻すために要する時間が短縮され得る。ガス遮断器１ｅは、第１の遮断動作を終えてから第１の遮断動作の次の第２の遮断動作を開始するまでの間の時間が短縮され得る。
【０１２９】
今回開示された実施の形態１から実施の形態６はすべての点で例示であって制限的なものではないと考えられるべきである。矛盾のない限り、今回開示された実施の形態１から実施の形態６の少なくとも２つを組み合わせてもよい。例えば、実施の形態２から実施の形態４において、実施の形態５のように第１の筒部材１２を設けてもよい。実施の形態１、実施の形態３及び実施の形態４において、実施の形態６のように、弁５５ａ、第１の筒部材１２及び第２の筒部材１２ｅが用いられてもよい。実施の形態５において、実施の形態６のように、弁５５ａ及び第２の筒部材１２ｅが用いられてもよい。本発明の範囲は、上記した説明ではなく請求の範囲によって示され、請求の範囲と均等の意味および範囲内でのすべての変更が含まれることを意図される。
【符号の説明】
【０１３０】
１，１ａ，１ｂ，１ｃ，１ｄ，１ｅ  ガス遮断器、３  第１ブッシング、４  第２ブッシング、５  第１導体、６  第２導体、７  第１導電部材、８  第２導電部材、９，９ｄ  ガスタンク、１０  第１の外壁、１１，１１ｄ  第２の外壁、１２  第１の筒部材、１２ｅ  第２の筒部材、１３，１３ｄ  第１仕切板、１４  第１端子板、１５，１５ｄ  第１絶縁スペーサ、１６，１６ｄ  第２仕切板、１７  第２端子板、１８，１８ｄ  第２絶縁スペーサ、１９  第１貫通孔、１９ｆ  第３貫通孔、２０，２３，２４  第１のガス室、２０ｆ  第１のサブガス室、２０ｇ  第２のサブガス室、２２  第２のガス室、２５  固定接触子、２６，２６ｃ  ノズル、２７，２７ｃ  基部、２８，２８ｃ  突出部、３０，３０ｃ  可動接触子、３１，３１ｃ  第１端部、３１ｐ  開口部、３２，３２ｃ  第２端部、３３  導電棒部材、３４  導電摺動部材、３６，３６ｃ  第２貫通孔、３７  第１ガイド部材、３８  第１内周部、３８ｃ  第３内周部、３９，３９ｃ  第２内周部、４０  ばね、５０  第１可動部材、５１  第２可動部材、５３  駆動部、５５，５５ａ  弁、５６  内部、５７，５８  封止部材、６０  アーク、６３  ポンプ、６４  第１配管、６５  第２配管、７０  制限部材、７１  第１プレート、７２  第２プレート、７５  第２ガイド部材、７６  ストッパ。
【図１】
0006639692.tif 000002
【図２】
0006639692.tif 000003
【図３】
0006639692.tif 000004
【図４】
0006639692.tif 000005
【図５】
0006639692.tif 000006
【図６】
0006639692.tif 000007
【図７】
0006639692.tif 000008
【図８】
0006639692.tif 000009
【図９】
0006639692.tif 000010
【図１０】
0006639692.tif 000011
【図１１】
0006639692.tif 000012
【図１２】
0006639692.tif 000013
【図１３】
0006639692.tif 000014
【図１４】
0006639692.tif 000015
【図１５】
0006639692.tif 000016
【図１６】
0006639692.tif 000017
【図１７】
0006639692.tif 000018
【図１８】
0006639692.tif 000019
【図１９】
0006639692.tif 000020
【図２０】
0006639692.tif 000021